(57)【要約】【課題】  圧縮機に多量の水を供給して圧縮される気体の温度を低く抑えることを可能にすることにより、ガスタービンの動力回収効率を高めて出力を増大させ、なおかつシステムの構成の簡略化及び小型化を図ることができるガスタービンシステムを提供する。【解決手段】  容積形圧縮機１を使用する再生ガスタービンサイクルのガスタービンシステムにおいて、圧縮機１に供給する気体に対して質量比５〜５０％の水を圧縮機１の吸込側から供給し、その圧縮過程で水の全部または一部を蒸発させる。ガスタービン４、５の燃焼排ガスを冷却して得られた凝縮水を圧縮機１に供給する。ガスタービン４、５の燃焼排ガスを冷却し、空気を混入して圧縮機１に供給する。【選択図】        図１
2005048646.tif 000002
【特許請求の範囲】
【請求項１】
容積形圧縮機を使用する再生ガスタービンサイクルにおいて、前記圧縮機に供給する気体に対して質量比５〜５０％の水を前記圧縮機の吸込側から供給し、前記圧縮機における気体の圧縮過程で前記水の全部または一部を蒸発させるガスタービンシステム。
【請求項２】
ガスタービンの燃焼排ガスを冷却して得られた凝縮水を前記圧縮機に供給する請求項１に記載のガスタービンシステム。
【請求項３】
ガスタービンの燃焼排ガスを冷却し、空気を混入して前記圧縮機に供給する請求項１又は２に記載のガスタービンシステム。
【発明の詳細な説明】
【技術分野】
【０００１】
本発明は、例えば、コジェネレーションによる分散型エネルギー供給設備、トラック、機関車等の車両や船舶等の動力装置、バイオマス等の廃棄物を燃料とする発電又は動力設備などに好適に用いることができる高効率のガスタービンシステムに関する。
【背景技術】
【０００２】
ガスタービンシステムの圧縮機に吸入される気体に対して水を供給することにより、圧縮機で圧縮される空気を冷却してガスタービンシステムの出力を増加させるシステムとして、以下のようなものが知られている。すなわち、空気を圧縮機の入口に供給するよう構成された、入口領域および出口を有するダクトと、ダクト入口に隣接する位置で噴霧水を前記空気中にスプレーするための第１組のノズルと、圧縮機入口に近い位置で噴霧水を前記空気中にスプレーして空気に対して水を過飽和にするための第２組のノズルと、前記第１組および第２組のノズルに水を配分する制御手段とを備えるガスタービンシステムである（例えば、特許文献１参照）。
【０００３】
このガスタービンシステムは、圧縮機への入口の上流で空気を水で飽和させて、空気を湿球温度またはその付近の温度に冷却し、圧縮機への入口のすぐ近くの位置で空気に対して水を過飽和にすることにより、液体の水が空気に同伴された状態で圧縮機に進入するようにし、圧縮機での圧縮の際に液体の水が蒸発して空気を冷却することにより、ガスタービンの出力を増加させるシステムである。ここで、ガスタービンシステムは、多くの空気流量を必要とすることから、その圧縮機には、空気流量を大きくとれる遠心式や軸流式などのターボ形圧縮機が用いられるのが通常である。
【特許文献１】特開２００１−５５９２９号公報（第５−６頁、第１図）
【発明の開示】
【発明が解決しようとする課題】
【０００４】
しかしながら、このような従来のガスタービンシステムでは、空気に対して過飽和になるまでの量の水を供給することで、大きな水滴が前記のようなターボ形の圧縮機内に進入してそのブレードを損傷しないようにするために、圧縮機の吸気口の近傍にスプレーノズルを配置して水の凝集を防止する等の構成が必要となり、システムの構成が複雑で高価なものとなる。
【０００５】
また、従来のガスタービンシステムでは、圧縮機の内部に無機塩が析出して付着することにより圧縮機の性能が低下することを防止するために、圧縮機に吸引される空気に供給する水として純水を使用する必要がある。したがって、純水を製造する装置や純水を貯蔵して供給するためのタンク等の装置が必要となり、システムが大型化、或いは高価なものとなり、省スペースが要求される設備や車両等の動力として用いることは困難であった。
【０００６】
本発明は、上記の課題に鑑みてなされたものであり、その目的は、圧縮機に多量の水を供給して圧縮される気体の温度を低く抑えることを可能にすることにより、ガスタービンの動力回収効率を高めて出力を増大させ、なおかつシステムの構成の簡略化及び小型化を図ることができるガスタービンシステムを提供する点にある。
【課題を解決するための手段】
【０００７】
上記目的を達成するための本発明に係るガスタービンシステムの第１特徴構成は、容積形圧縮機を使用する再生ガスタービンサイクルにおいて、前記圧縮機に供給する気体に対して質量比５〜５０％の水を前記圧縮機の吸込側から供給し、前記圧縮機における気体の圧縮過程で前記水の全部または一部を蒸発させる点にある。
【０００８】
この第１特徴構成によれば、ターボ形圧縮機と比較して気体の流速が遅く、ロータの回転速度も遅い容積形圧縮機を使用するので、多量の水が供給された場合であっても振動が少なく安定して動作させることが可能であり、また、高速で回転するブレードが存在しないので、多量の水が圧縮機内に吸い込まれた場合であっても圧縮機が損傷することがない。ここで、ガスタービンシステムの圧縮機として、これまで容積形圧縮機は使用されていなかった。これは、ガスタービンが高速で回転するのに対して、容積形圧縮機は回転速度が遅く大型になることによる。しかし、小型の容積形圧縮機を用いて回転周速度を大型の容積形圧縮機と同等にすれば、回転速度は速くなるので、減速機を用いてガスタービンと連結して駆動することが可能となる。
【０００９】
また、圧縮機に供給する気体に対して質量比５〜５０％という多量の水を圧縮機の吸込側に供給するので、圧縮機での圧縮の際に水が蒸発して気体の温度上昇を抑えることになり、ガスタービンの効率を高めることができるとともに、圧縮機の吸込空気温度によるシステムの能力及び効率に対する影響を少なくすることができる。更に、多量に供給された水が気体の圧縮の際に蒸発する水量以上である場合には、容積形圧縮機の内部に残った水はケーシングとロータとの間の気密性を高めるシールの役割を果たすので、圧縮時の気体の漏れを防止することができ、ガスタービンの効率を更に高めることができる。また、圧縮機の内部に蒸発せずに残った水は、その水の中に含まれる無機塩が濃縮して析出する前にそれを洗い流すので、無機塩の堆積により圧縮機の性能が低下することを防止することができる。なお、圧縮機に供給する水として純水や無機塩のないプロセス水を用いる場合には無機塩の析出がないので、圧縮機に供給する水量は圧縮の際に蒸発する量以下にすることができる。また、圧縮機の内部の潤滑のために潤滑油が循環使用される場合には、この潤滑油と圧縮機の内部を流れる水とが混合された状態で蒸発するため、圧縮機の内部に腐食が生じにくいという利点もある。なお、前記多量に供給される水により、圧縮機による圧縮後の気体の温度は低くなるので、条件によっては前記潤滑油を冷却のための機構をなくすことも可能となる。
【００１０】
そして、これらの構成を再生ガスタービンサイクルに適用することにより、圧縮機における気体の圧縮過程で水が蒸発して蒸気となり、この蒸気が圧縮された気体と一緒になって蒸気サイクルとして作動することになる。すなわち、本発明においては、圧縮機はボイラとしても働くこととなり、そのサイクルは気体が作動するブレイトンサイクルと蒸気が作動するランキンサイクルとが一体化したものとなる。したがって、ガスタービンシステムの入口温度が同じ条件の場合には、従来の蒸気インジェクションサイクルに比べてシステムの構成が簡単であり、かつ高い効率を得ることができる。また、例えばバイオマス等のように水分を多く含んだ燃料を用いる場合であっても、その水分がランキンサイクルの作動体として働くので、従来の蒸気機関に比べて動力回収効率の低下割合を小さくすることができる。
【００１１】
また、このガスタービンシステムの部分負荷に対しても、システムの変圧運転をすることにより、ガスタービンの入口温度をあまり下げることなく、全体の効率も下がることがないので、広い負荷範囲において高い効率を得ることができる。
【００１２】
本発明に係るガスタービンシステムの第２特徴構成は、上記第１特徴構成に加えて、ガスタービンの燃焼排ガスを冷却して得られた凝縮水を前記圧縮機に供給する点にある。
【００１３】
この第２特徴構成によれば、燃料の燃焼の際に生じる蒸気を凝縮して得られる凝縮水を圧縮機に供給するので、外部から別途に水を供給する必要がない。したがって、貯水タンク等の装置が不要となり、ガスタービンシステムの構成を小型化、簡略化することが可能となる。特に、灰分の少ない燃料を用いる場合には、燃焼ガスの凝縮水中には無機塩が少ないので、この凝縮水が供給された圧縮機の内部での無機塩の析出を防止することもできる。したがって、純水装置等も不要となり、ガスタービンシステムの構成を更に小型化、簡略化することが可能となる。また、これにより、トラック等の車両の動力装置としてより好適なものとすることができる。
【００１４】
本発明に係るガスタービンシステムの第３特徴構成は、上記第１又は第２特徴構成に加えて、ガスタービンの燃焼排ガスを冷却し、空気を混入して前記圧縮機に供給する点にある。
【００１５】
この第３特徴構成によれば、冷却した燃焼排ガスを再循環させて燃焼器で燃焼させるので、排ガス量を少なくすることができるとともに、燃焼の過程における酸素分圧を低くしてＮＯｘの生成を抑制することができる。
【発明を実施するための最良の形態】
【００１６】
本発明の実施の形態について、以下に３つの実施例を挙げて図面に基づいて説明する。なお、これらの実施例は、いずれもコンピュータシミュレーションによるもので、機器の放熱損失がないものとして行なった計算を示している。
【実施例１】
【００１７】
実施例１は、本発明に係るガスタービンシステムをコジェネレーション設備に適用した例である。図１は、この実施例１に係るガスタービンシステムの構成を示す説明図である。図１に示すように、このガスタービンシステムは、圧縮機１、再生熱交換器２、燃焼器３、高圧側ガスタービン４、低圧側ガスタービン５、熱回収器６、及びガス冷却器７を有して構成され、高圧側ガスタービン４に発電機８が接続され、低圧側ガスタービン５に圧縮機１が接続されている。
【００１８】
このガスタービンシステムでは、圧縮機１の形式として容積形圧縮機が用いられる。容積形圧縮機１の種類としては、特に制限はなく、二葉、ベーン、ねじ等の回転式や往復式などが用いられる。
【００１９】
また、このガスタービンシステムは、再生ガスタービンサイクルを構成しており、ガスタービン４、５の燃焼排ガスは再生熱交換器２に送られ、圧縮機１で圧縮された圧縮気体との間で熱交換が行なわれて圧縮空気が加熱される。ガスタービン４、５の燃焼排ガスは、再生熱交換器２における熱交換の後は、熱回収器６に送られて温水を作る等のために熱回収され、更に、ガス冷却器７に送られて冷却された後、一部は排出され、残りは空気と混合されて圧縮機１側へ再循環される。ここで、再循環される燃焼排ガスに空気が混合される量は、燃焼器３での燃焼の際に必要な量の酸素を補い得る量以上とする。よって、ガス冷却器７での冷却後に排出される燃焼排ガスの量は、ここで混合される空気の量に相当する量となる。
【００２０】
ガスタービン４、５からの燃焼排ガスに含まれる蒸気は、ガス冷却器７において燃焼排ガスが冷却される際にその大部分が凝縮して水となる。そこで、このガスタービンシステムでは、凝縮水を圧縮機１の吸込側に供給することで、外部からの水の供給を不要としている。この凝縮水をガス冷却器７から圧縮機１の吸込側へ供給するために、本実施形態では、ガス冷却器７で凝縮された水をドレントラップ１０を介して取り出し、ポンプ９の動作により圧縮機１の吸込側へ送る構成としている。なお、ガス冷却器７を圧縮機１よりも高い位置に配置する場合には、ポンプ９を用いない構成とすることが可能である。
【００２１】
圧縮機１の吸込側に対する凝縮水の供給量としては、圧縮機１に供給する気体、すなわち燃焼排ガスと空気の混合した気体に対して、質量比で５〜５０％とする。そして、圧縮機１の圧縮過程でその水の全部または一部を蒸発させる。この際、圧縮機１に供給する気体に対して質量比で５％以上という、従来のターボ形圧縮機を用いたガスタービンシステムと比較して多量の水を供給することにより、圧縮機１内での気体の圧縮の際に飽和量又はそれに近い量の水を蒸発させる構成とすることができ、圧縮気体の温度上昇を抑えることができる。
【００２２】
ここで、圧縮機１の吸込側に供給する水の水量を、圧縮機１に供給する気体に対する質量比５〜５０％のどの範囲の値に設定するのが最も適切であるかは、ガスタービンシステムの構成により異なる。本実施形態のように、ガスタービン４、５の燃焼排ガスを冷却して得られた凝縮水を圧縮機１に供給する構成であって、燃料に天然ガス（１３Ａガス等の都市ガス）や灯油等の灰分の少ないものを用いる場合には、圧縮機の内部で無機塩が濃縮して析出することはないので、圧縮機１内での気体の圧縮の際に蒸発する水量とほぼ同じか、それよりも少ない水量とすることが可能である。一方、圧縮機１内での気体の圧縮の際に蒸発する水量よりも多くの水量を供給することにより、圧縮機１の内部に残った水がケーシングとロータとの間の気密性を高めるシールの役割を果たすようにし、ガスタービンの効率を更に高めることもできる。なお、燃料にバイオマス等の灰分の多いものを用いる場合については、後に実施例３において説明する。
【００２３】
ここで、圧縮機１内での気体の圧縮の際に蒸発する水量は、システムの構成によって異なるが、通常は、圧縮機１に供給する気体に対する質量比で１０％前後である。したがって、圧縮機１の吸込側に供給する水の水量は、圧縮機１に供給する気体に対する質量比で５〜２０％程度となるように設定すると好適であり、更には、圧縮機１内での気体の圧縮の際に蒸発する水の量と同じかそれより少し多い水量、具体的には、質量比で８〜１５％程度とするのが最も適当である。なお、本実施形態のようなガスタービンシステムの構成であっても、圧縮機１の吸込側に供給する水量を、圧縮機１に供給する気体に対する質量比で２０％以上に設定することは当然に可能である。
【００２４】
本実施形態においては、ガス冷却器７において凝縮した水の全量を圧縮機１の吸込側に供給する構成としている。燃料に天然ガスや灯油等の水分をあまり含まないものを用いる場合には、このような簡易な構成によって、圧縮機１の吸込側に適量の水を供給することができる。これは、圧縮機１の吸込側に供給された水が圧縮の際に蒸発することにより、圧縮後の気体は飽和量の水が含まれた状態で燃焼器３へ送られて燃焼されることになり、燃焼後にガス冷却器７に送られる燃焼排ガスには、圧縮機１での圧縮後の気体の飽和量の水分に燃料の燃焼によって生成された水分が加わった量の水分が含まれることになる。そして、この燃焼排ガスをガス冷却器７において冷却して得られた凝縮水の全量を圧縮機１の吸込側に供給すれば、圧縮機１内での気体の圧縮の際に蒸発する水の量より少し多い水量が常に供給されることになるからである。なお、バイオマスや下水汚泥等の水分を多く含む燃料を使用する場合には、圧縮機１の吸込側に水量制御バルブ等を設け、一定量の水を圧縮機１に供給し、或いは、圧縮機１に吸い込まれる気体の流量に応じた量の水を圧縮機１に供給することが適当な場合もある。
【００２５】
圧縮機１の吸込側における凝縮水の供給の形態としては、噴霧等の特別な処理は必要なく、液状のまま圧縮機１の吸込口の近傍に流し込んで供給することが可能である。これは、従来のターボ形圧縮機を用いたガスタービンシステムと異なり、容積形圧縮機１の内部のロータによって液状の水を回転撹拌することが可能であるので、水が液状のまま供給された場合であっても、十分に蒸発させることが可能であることによる。
【００２６】
また、圧縮機１の吐出側には、余分な水を圧縮機１から排出するためのドレントラップ１１が設けられている。したがって、圧縮機１内での気体の圧縮の際に蒸発しなかった水は、このドレントラップ１１を介して取り出され、系外に排出される。なお、圧縮機１の内部の潤滑のために潤滑油が使用される場合には、ドレントラップ１１に代えて気体と液体をより完全に分離することが可能な気液分離装置を設け、更にその下流側に水と潤滑油の分離装置を設け、水は系外に排出し、潤滑油は圧縮機１の吸込側に戻す構成とすると好適である。
【００２７】
また、このガスタービンシステムでは、ガスタービンとして高圧側ガスタービン４と低圧側ガスタービン５の２機のガスタービンを直列に接続した構成としている。これは、ガスタービンが１機の構成では、ガスタービンの出口温度が高くなり易いため、再生熱交換器２の伝熱量が大きくなって高価な再生熱交換器２を使用することが必要となり、一方、ガスタービンの出口温度を低くするためには、圧力比の大きいガスタービンを使用することが必要となり、ガスタービンの効率が悪くなるためである。圧力比が３程度と低いガスタービンを２機直列に接続すれば、低圧側ガスタービン５の出口温度を、ガスタービンが１機の場合と比較して大幅に下げることが可能となるので、再生熱交換器２の伝熱量が小さくなり、安価な再生熱交換器２を使用することが可能となり、かつガスタービンの効率も高めることができる。なお、このガスタービンシステムのガスタービン４、５としては、中規模又は小規模のシステムでは、構造が簡単で断熱効率が高いラジアルフロータービンが好適に用いられる。
【００２８】
また、高圧側ガスタービン４と低圧側ガスタービン５の軸を別にすれば、ガスタービンシステムの用途や特性に応じて適切なシステム構成とすることが可能となる。本実施形態では、比較的低速の低圧側ガスタービン５で圧縮機１を駆動し、比較的高速の高圧側ガスタービン４で発電して不図示のインバータで電圧と周波数を調整することにより、発電のために適したシステムとしている。また、後述する実施例２に係るガスタービンシステムのように、高圧側ガスタービン４で圧縮機１を駆動し、低圧側ガスタービン５から駆動力が出力されるようにすれば、低速でトルクを大きくすることができ、車両等の駆動のために適したシステムとすることができる。
【００２９】
次に、この実施例１に係るガスタービンシステムの動作状態を、上記コンピュータシミュレーションの結果に基づいて、更に具体的に説明する。燃焼器３での燃焼に必要な空気は、ガス冷却器７で冷却された後に再循環される燃焼排ガスと混合され、２３℃となって圧縮機１に供給される。また、ガス冷却器７で凝縮した凝縮水が、圧縮機１に供給する気体に対する質量比約１０〜１５％で圧縮機１の吸込側に供給される。そして、空気と燃焼排ガスとの混合気は、圧縮機１において０．８９MPa・Gまで圧縮される。この際、圧縮機１に供給された水は、混合気の圧縮による温度上昇に伴って蒸発して混合気の温度上昇を抑制する。その結果、圧縮後の混合気の温度は１１４℃となる。その後、空気、燃焼排ガス、及び蒸気が混合した気体は、再生熱交換器２において低圧側ガスタービン５から排出された直後の燃焼排ガスとの間で熱交換されて４０５℃となって、燃焼器３に供給され、この燃焼器３で燃料とともに燃焼されて９００℃の高温の燃焼ガスとなる。この燃焼ガスは、高圧側ガスタービン４で膨張して発電機８を駆動し、更に低圧側ガスタービン５で圧縮機１を駆動する。こうして低圧側ガスタービン５から排出された燃焼排ガスは、４６０℃となって再生熱交換器２に入る。そして、この燃焼排ガスは、再生熱交換器２において熱交換されて１８３℃となり、更に熱回収器６において温水を作る等のために熱回収されて１０５℃となる。その後、この燃焼排ガスはガス冷却器７へ送られ、ここで２５℃まで冷却される。この際、燃焼排ガスに含まれる蒸気は、その大部分が凝縮されて水となり、その凝縮水は圧縮機１の吸込側に供給される。そして、冷却された燃焼排ガスの一部は排出され、残りは空気と混合されて圧縮機１へ送られて再循環される。
【００３０】
このような条件で動作するガスタービンシステムにおいて、燃料に１３Ａガスを使用し、発電機８の効率を９４％とした場合は、図２のグラフに示すように、発電効率はＨＨＶで３７．０％（ＬＨＶでは４１．０％）となる。なお、このときに圧縮機１内で蒸発する水の水量は、圧縮機１に供給する気体に対して質量比で９．１％となる。
【００３１】
なお、本件発明の実施例１との比較のために、図３に示すような構成の通常の再生サイクルのガスタービンシステムにおける発電効率を表すグラフを図４に示す。この図３に示すガスタービンシステムは、圧縮機１０１、再生熱交換器１０２、燃焼器１０３、ガスタービン１０４、及び熱回収器１０６を有して構成され、ガスタービン１０４に圧縮機１０１及び発電機１０８が接続されている。このような通常の再生サイクルのガスタービンシステムにおいて、燃料に１３Ａガスを使用し、発電機８の効率を９４％とした場合、図４に示すように、熱供給５６．４％となっており熱回収器１０６での熱回収量は多いが、発電効率はＨＨＶで２２．８％となっており、上記実施例１と比較して大幅に低い効率しか得られていない。
【実施例２】
【００３２】
実施例２は、本発明に係るガスタービンシステムをトラック等の車両の動力装置に適用した例である。図５は、この実施例２に係るガスタービンシステムの構成を示す説明図である。図５に示すように、このガスタービンシステムは、前記実施例１と比較して以下の点で異なる。すなわち、このガスタービンシステムでは、高圧側ガスタービン４に圧縮機１が接続され、低圧側ガスタービン５がトランスミッション等の車両の駆動機構１２に接続されている。また、熱回収の必要がないため熱回収器６は有しておらず、ガス冷却器７はラジエータ１３に接続されている。その他の構成は、前記実施例１と同様である。
【００３３】
したがって、ガスタービン４、５の燃焼排ガスは、再生熱交換器２における熱交換の後は、ガス冷却器７に送られてラジエータ１３によって冷却され、その後、一部は排出され、残りは空気と混合されて圧縮機１側へ再循環される。
【００３４】
このガスタービンシステムでは、上記のとおり、高圧側ガスタービン４に圧縮機１が接続され、低圧側ガスタービン５がトランスミッション等の車両の駆動機構１２に接続されているが、これは、ガスタービンシステムを車両の動力装置に使用する場合、駆動機構１２の駆動に要するトルクや負荷の変動が大きいことに対応するためである。すなわち、動作時の回転数は高いがトルクの小さい高圧側ガスタービン４により圧縮機１を駆動し、回転数は低いがトルクの大きい低圧側ガスタービン５により駆動機構１２を駆動する構成とすることにより、トルクや負荷の変動が大きい場合にも安定して駆動機構１２を駆動できるようにしている。なお、トルクや負荷の変動に対する対策として、バッテリー及び電動モータを備えたハイブリッド方式とすることも考えられる。
【００３５】
このような実施例２に係るガスタービンシステムにおいて、燃料に灯油を使用し、圧縮機１に供給される気体の温度を４０℃、圧縮機１における圧縮後の気体の圧力を０．８９MPa・G、高圧側ガスタービン４の入口の燃焼ガスの温度を９００℃とした場合、動力回収効率はＨＨＶで３９．６％（ＬＨＶでは４３．８％）となる。
【実施例３】
【００３６】
実施例３は、本発明に係るガスタービンシステムを木質系のバイオマスを燃料とする発電装置に適用した例である。図６は、この実施例３に係るガスタービンシステムの構成を示す説明図である。図６に示すように、このガスタービンシステムは、前記実施例１と比較して以下の点で異なる。すなわち、このガスタービンシステムでは、燃料となるバイオマスをガス化するガス化炉１４と、燃焼排ガスの冷却及び洗浄を行なう冷却洗浄装置１５及びこの冷却洗浄装置１５に供給する冷却水の冷却を行なう水冷却器１６とを有しており、水冷却器１６において冷却された水の一部を、フィルター１７によりろ過にしてから圧縮機１の吸込側に供給する構成としている。その他の構成は、前記実施例１と同様である。
【００３７】
このガスタービンシステムでは、燃料となるバイオマスはまずガス化炉１４に供給される。そして、主灰が分離され、部分燃焼により生成したガスは燃焼器３に供給され、そこで完全燃焼されて高温の燃焼ガスとなって高圧側ガスタービン４に送られる。ガスタービン４、５の燃焼排ガスは、再生熱交換器２において熱交換された後、冷却洗浄装置１５に送られ、冷却水により冷却されるとともに灰分が除去されて洗浄される。この際、燃焼排ガスに含まれる水分は、冷却により凝縮して冷却水に混合される。このように冷却洗浄装置１５において冷却洗浄された燃焼排ガスは、一部は排出され、残りは空気と混合されて圧縮機１側へ再循環される。
【００３８】
また、燃焼排ガスの冷却及び洗浄を行なった後の冷却水には、燃焼排ガスから除去された灰分が含まれている。この冷却水に含まれた灰分は、この冷却水を冷却洗浄装置１５の底部に停留させることによって沈殿し、その底部から系外に排出される。灰分を沈殿させた後の冷却水は、水冷却器１６に送られて空気により冷却される。この水冷却器１６で冷却された後の冷却水は、その一部がポンプ９の動作によってフィルター１７を経由してから圧縮機１の吸込側に供給され、残りが冷却洗浄装置１５に供給されて循環される。
【００３９】
燃料にバイオマス等の灰分の多いものを用いる場合には、圧縮機１の吸込側に供給される水には、フィルター１７によりろ過したとしても無機塩が含まれることとなる。そこで、本実施形態では、水に含まれる無機塩が圧縮機１の内部で濃縮して析出することを防止するため、圧縮機１の吸込側に供給する水の水量を、前記実施例１及び２よりも多い量に設定する。ここで、圧縮機１内での気体の圧縮の際に蒸発する水量は、システムの構成によって異なるが、通常は、圧縮機１に供給する気体に対する質量比で１０％前後である。したがって、圧縮機１の吸込側に供給する水の水量は、圧縮機１に供給する気体に対する質量比で２０〜５０％程度となるように設定すると好適である。これにより、圧縮機１の内部において蒸発せずに残った水は、その水の中に含まれる無機塩が濃縮して析出する前にそれを洗い流すので、無機塩の堆積により圧縮機の性能が低下することを防止することができる。また、圧縮機１の内部に残った水はケーシングとロータとの間の気密性を高めるシールの役割も果たす点は上述のとおりである。なお、フィルター１７に代えて純水装置を設け、冷却水を純水にしてから圧縮機１に供給する構成とすることも可能である。この場合には、圧縮機１内における無機塩の析出がないので、前記実施例１又は２と同様に、圧縮機１内での気体の圧縮の際に蒸発する水量とほぼ同じか、それよりも少ない水量とすることが可能である。
【００４０】
このような実施例３に係るガスタービンシステムにおいて、燃料に水分が１０％含まれるバイオマスを使用し、発電機８の効率を９５％とし、圧縮機１における圧縮後の気体の圧力を０．８９MPa・G、高圧側ガスタービン４の入口の燃焼ガスの温度を９００℃とした場合、発電効率はＨＨＶで３７．５％（ＬＨＶでは４１．７％）となる。
【００４１】
〔その他の実施例〕
上記の実施例では、いずれも圧縮機１の吸込側に供給する水を、ガスタービンシステムの系内から取得して供給する構成としているが、本発明の技術的範囲はこのような構成に限定されるものではなく、圧縮機１に供給する水を系外の貯水タンクや給水装置等から供給する構成とすることも可能である。
【００４２】
また、上記の実施例では、いずれもガスタービン４、５からの燃焼排ガスを再循環させる構成としているが、本発明の技術的範囲はこのような構成に限定されるものではなく、ガスタービン４、５からの燃焼排ガスはすべて系外に排出する構成とすることも可能である。
【００４３】
また、上記の実施例では、いずれも高圧側ガスタービン４と低圧側ガスタービン５の２機を直列に接続した構成としているが、本発明の技術的範囲はこのような構成に限定されるものではなく、１機のガスタービンを使用し、あるいは３機以上のガスタービンを直列に接続して使用する構成とすることも可能である。
【産業上の利用可能性】
【００４４】
本発明は、コジェネレーションによる分散型エネルギー供給設備、トラック、機関車等の車両や船舶等の動力装置、バイオマス等の廃棄物を燃料とする発電又は動力設備などに好適に用いることが可能である。
【図面の簡単な説明】
【００４５】
【図１】実施例１に係るガスタービンシステムの構成を示す説明図である。
【図２】実施例１に係るガスタービンシステムの効率を示すグラフである。
【図３】通常の再生サイクルのガスタービンシステムの構成を示す説明図である。
【図４】通常の再生サイクルのガスタービンシステムの効率を示すグラフである。
【図５】実施例２に係るガスタービンシステムの構成を示す説明図である。
【図６】実施例３に係るガスタービンシステムの構成を示す説明図である。
【符号の説明】
【００４６】
１  圧縮機
２  再生熱交換器
３  燃焼器
４  高圧側ガスタービン
５  低圧側ガスタービン
６  熱回収器
７  ガス冷却器
８  発電機
９  ポンプ
１２  駆動機構
１４  ガス化炉
１５  冷却洗浄装置
１６  水冷却器
【図１】
2005048646.tif 000003
【図２】
2005048646.tif 000004
【図３】
2005048646.tif 000005
【図４】
2005048646.tif 000006
【図５】
2005048646.tif 000007
【図６】
2005048646.tif 000008